【手続補正書】
【提出日】平成22年11月29日(2010.11.29)
【手続補正１】
【補正対象書類名】特許請求の範囲
【補正対象項目名】全文
【補正方法】変更
【補正の内容】
【特許請求の範囲】
【請求項１】
試料を採取する試料採取部を有し、
前記試料採取部が、
薄板状の側壁部を少なくとも一つ備えて構成されていて、長手方向が深さ方向に対して垂直な、薄板状空間を形成する、断面が略コの字型の試料保持溝と、
前記試料保持溝の開口に沿って試料を削り取り可能な角部を有することを特徴とする試料採取部材。
【請求項２】
前記試料保持溝が、二つの前記薄板状の側壁部を対向させた状態に備えて構成されていることを特徴とする請求項１に記載の試料採取部材。
【請求項３】
前記試料保持溝の開口が、前記試料採取部の側方から先端にかけて続いていることを特徴とする請求項１又は２に記載の試料採取部材。
【請求項４】
請求項１〜３のいずれかに記載の試料採取部材における前記試料保持溝に摺接しながら挿入可能な太さの径を持つ棒状の試料取り出し部を有してなることを特徴とする試料取り出し部材。
【請求項５】
さらに、請求項１〜３のいずれかに記載の試料採取部材における前記試料保持溝へ前記試料取り出し部を挿入して該試料取り出し部を該試料保持溝の長手方向に沿って移動させるときの前記試料保持溝からの前記試料取り出し部の離脱を防止する挿入状態保持部を有するガイド部と、
前記試料取り出し部と前記ガイド部とを支持する支持部を有することを特徴とする請求項４に記載の試料取り出し部材。
【請求項６】
前記挿入状態保持部が、請求項１〜３のいずれかに記載の試料採取部材における前記試料保持溝へ前記試料取り出し部を挿入した状態において前記試料採取部を挟むことを特徴とする請求項５に記載の試料取り出し部材。
【請求項７】
前記ガイド部が、前記挿入状態保持部の先端に、請求項１〜３のいずれかに記載の試料採取部材における前記試料保持溝に前記試料取り出し部を挿入させやすくなるように、先端から奥に向うにしたがって間隔が狭くなるように傾斜された傾斜部を有することを特徴とする請求項５又は６に記載の試料取り出し部材。
【請求項８】
前記試料取り出し部と前記ガイド部とが、長手方向が同じになるように設けられていることを特徴とする請求項５〜７のいずれかに記載の試料取り出し部材。
【請求項９】
前記ガイド部が、請求項１〜３のいずれかに記載の試料採取部材の前記試料採取部における前記試料保持溝の開口とは反対側の長手方向近傍を囲むことが可能な、長手方向に延びた略コの字型形状に形成され、
前記試料取り出し部が、前記ガイド部に対して、その先端部が前記試料採取部における  前記試料保持溝の底面の厚みと略同じ間隔であり、その後端部に向かうにしたがって次第に間隔が広がるように傾斜し、さらに、前記後端部と前記支持部との接続部を中心として前記先端部が前記ガイド部から離れる方向に弾性変形可能に構成されていることを特徴とする請求項５に記載の試料取り出し部材。
【手続補正２】
【補正対象書類名】明細書
【補正対象項目名】発明の名称
【補正方法】変更
【補正の内容】
【発明の名称】試料採取部材及び試料取り出し部材
【手続補正３】
【補正対象書類名】明細書
【補正対象項目名】０００１
【補正方法】変更
【補正の内容】
【０００１】
本発明は、糞便を試料として採取する、試料採取部材及び試料取り出し部材に関する。
【手続補正４】
【補正対象書類名】明細書
【補正対象項目名】００１０
【補正方法】変更
【補正の内容】
【００１０】
本発明は、上記従来の問題点に鑑みてなされたものであり、採取者が試料、特に糞便の表面をまんべんなく簡単に採取することができ、さらには表面だけでなく内部の糞便も簡単に採取することができるなど、試料の任意の部分を容易に採取して、容易に検査に用いることのできる、試料採取部材及び試料取り出し部材を提供することを目的とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】
【手続補正１７】
【補正対象書類名】明細書
【補正対象項目名】００３２
【補正方法】削除
【補正の内容】
【手続補正１８】
【補正対象書類名】明細書
【補正対象項目名】００３３
【補正方法】削除
【補正の内容】
【手続補正１９】
【補正対象書類名】明細書
【補正対象項目名】００３４
【補正方法】削除
【補正の内容】
【手続補正２０】
【補正対象書類名】明細書
【補正対象項目名】００３５
【補正方法】変更
【補正の内容】
【００３５】
本発明によれば、採取者が試料、特に糞便の表面をまんべんなく簡単に採取することができ、さらには表面だけでなく内部の糞便も簡単に採取することができるなど、試料の任意の部分を容易に採取して、容易に検査に用いることのできる、試料採取部材及び試料取り出し部材が得られる。
【手続補正２１】
【補正対象書類名】明細書
【補正対象項目名】００４９
【補正方法】変更
【補正の内容】
【００４９】
そして、試料採取キットは、上記本発明のいずれかの試料採取部収容容器を備えた試料採取部材と、試料採取部材における試料採取部収容容器に設けられた上記本発明のいずれかの試料取り出し部材とを備える。
このようにすれば、採取者が試料を取り出す操作を行なわずに、試料を採取した試料採取部を試料採取部収容容器に入れるだけで、試料採取部の試料保持溝の中の試料を試料採取部収容容器の中に取り出すことができる。
このとき、試料採取キットにおいては、試料採取部材における試料保持溝の外部に付着した試料を摺り切るための摺り切り部を備えるのが好ましい。
このようにすれば、余分な試料を除去することができる。
【手続補正２２】
【補正対象書類名】明細書
【補正対象項目名】００５０
【補正方法】変更
【補正の内容】
【００５０】
また、試料採取キットにおいては、摺り切り部が、試料採取部収容容器に設けられた開口で構成されているのが好ましい。
このようにすれば、試料を採取した試料採取部を試料採取部収容容器に入れるだけで、余分な試料を簡単に除去することができる。
【手続補正２３】
【補正対象書類名】明細書
【補正対象項目名】００５１
【補正方法】変更
【補正の内容】
【００５１】
また、試料採取キットにおいては、試料採取部を試料採取部収容容器に収容するときの向きを規制する収容方向規制手段を備えるのが好ましい。
このようにすれば、試料採取部を試料採取部収容容器に収容する向きの誤りを防止することができる。
【手続補正２４】
【補正対象書類名】明細書
【補正対象項目名】００５２
【補正方法】変更
【補正の内容】
【００５２】
試料採取キットにおいては、試料採取部収容容器に、試料を処理する処理溶液が充填されているのが好ましい。
このようにすれば、試料採取部に採取した後に試料を採取した試料採取部を試料採取部収容容器に入れるだけで他の容器を用いることなく試料を処理溶液の中にいれることができる。
また、試料採取キットにおいては、試料と処理溶液との攪拌部材を備えるのが好ましい。
このようにすれば、処理溶液を介した試料の処理時間を短縮することができる。
【手続補正２５】
【補正対象書類名】明細書
【補正対象項目名】００５３
【補正方法】変更
【補正の内容】
【００５３】
また、試料採取キットにおいては、試料採取部収容容器が、試料の採取量に応じた試料を処理する処理溶液の必要充填量を示す目盛を有するのが好ましい。
このようにすれば、採取容量の異なる試料保持溝が設けられた複数種類の試料採取部を試料採取部収容容器にセットすることができるように構成した場合や試料採取部を試料採取部収容容器に収容後に処理溶液を入れる場合などにおいて、所定の試料採取部を用いて試料を採取したときに、その採取量に応じた必要量の処理溶液を、別途計量手段で計量することなく、試料採取部収容容器に充填することができる。
または、所定量の容量の試料が採取できた場合に、処理溶液の液面が上昇する位置に目盛を有するのが好ましい。この場合には、所定量の試料を採取できていなかったとき、その試料分の容積が増加しないので処理溶液の液面が目盛より下方に位置する。そして、試料採取を行う者や処理溶液をその後の検査に使う者が、所定量の試料が採取できているかどうか溶液量を見ただけで知ることができる。採取時であれば、処理溶液の液面が目盛より上方に位置するまで繰り返し採取を行えば良く、試料が不足してその後の検査等が行えないことを防ぐことができる。検査等の直前では、試料が不足して検査等が正確に行いないことを予測できるので、不要な検査等を行わないですむ。
【手続補正２６】
【補正対象書類名】明細書
【補正対象項目名】００５５
【補正方法】変更
【補正の内容】
【００５５】
そして、上記いずれかの試料採取キットにおいては、試料保持溝を該試料保持溝の底面が背中合わせになるようにして二つ備えた、上記本発明のいずれかの試料採取部材と、試料採取部材における試料採取部収容容器に設けられた上記本発明のいずれかの試料取り出し部材とを備えてなるのが好ましい。
【手続補正２７】
【補正対象書類名】明細書
【補正対象項目名】００５６
【補正方法】変更
【補正の内容】
【００５６】
次に、本発明の試料採取部材、試料取り出し部材、及びそれらを備えた試料採取キットの実施形態を図面を用いて説明する。
まず、試料採取キットに用いる試料採取部材の実施形態について説明する。
第一実施形態
図１は本発明の第一実施形態にかかる試料採取部材の構成を示す分解斜視図である。図２は図１に示す試料採取部材の試料採取部における試料保持溝及び試料保持溝の変形例を示す断面図で(a)は図１に示す試料採取部材の試料採取部における試料保持溝を示す図、(b)〜(i)は試料保持溝の変形例を示す図である。図３は図１に示す試料採取部材の試料採取時における使用態様を示す説明図で、(a)は試料の表面部分を採取するときの使用態様を示す図、(b)は試料の横断面部分を採取するときの使用態様を示す図、(c)は試料採取部材の先端部を介して試料を採取するときの使用態様を示す図、(d)は試料採取後の試料採取部材の態様を示す図である。
第一実施形態の試料採取部材１は、試料採取部１１と、把持部１２と、試料採取部収容容器１３と、蓋１４を有している。
試料採取部１１は、試料保持溝１１ａと、角部１１ｂ（１１ｂ11，１１ｂ12，１１ｂ21，１１ｂ22）を有している。
試料保持溝１１ａは、対向配置された薄板状の側壁部１１ａ1，１１ａ2を備えて構成され、その長手方向が深さ方向に対して垂直な薄板状空間を形成し、図２(a)に示すように、断面が略コの字型に形成されている。
薄板状の側壁部１１ａ1，１１ａ2は、透明なプラスチック又はガラスなど透明な材料でできている。
試料保持溝１１ａの開口は、試料採取部１１の側方から先端にかけて続いている。また、試料保持溝１１ａの底面１１ａ3における把持部１２側の所定部位１１ａ31は、開口に向かって連続する曲面形状に形成されている。
角部１１ｂ（１１ｂ11，１１ｂ12，１１ｂ21，１１ｂ22）は、試料保持溝１１ａの開口に沿って薄板状の側壁部１１ａ1，１１ａ2の縁に夫々設けられており、試料を削り取り可能に構成されている。
把持部１２は、蓋１４を挟んで試料採取部１１の後端部１１ｃに接続されており、試料採取部材１を手で把持できるように構成されている。
試料採取部収容容器１３は、その内部に試料採取部１１を収容可能な、底面が矩形の筒状に構成されている。
蓋１４は、試料保持溝１１ａと把持部１２との間に備えられている。そして、蓋１４は、試料採取部収容容器１３に試料採取部１１を収容した状態で、試料採取部収容容器１３の開口を閉じることができるように構成されている。
【手続補正２８】
【補正対象書類名】明細書
【補正対象項目名】００６６
【補正方法】変更
【補正の内容】
【００６６】
次に、試料採取キットに用いる試料取り出し部材の実施形態について説明する。
第四実施形態
図６は本発明の第四実施形態にかかる試料取り出し部材の構成及び試料取り出し部を用いて試料採取部から試料を取り出すときの使用態様を示す説明図で、(a)は試料取り出し部を試料保持溝の側部における最も把持部に近い側から挿し込むときの態様を示す図、(b)は(a)に示すようにして試料保持溝に試料取り出し部を挿し込み、溝の中を先端側に向かって摺動させたときの態様を示す図、(c)は試料取り出し部を試料保持溝の先端部に挿し込むときの態様を示す図、(d)は(c)に示すようにして試料保持溝に試料取り出し部を挿し込み、溝の中を把持部側に向かって摺動させたときの態様を示す図である。
第四実施形態の試料取り出し部材２は、試料取り出し部２１と、支持部２２とを有している。
試料取り出し部２１は、図１〜図５に示した各実施形態の試料採取部材（図６では図１に示した試料採取部材１を示している）における試料保持溝１１ａに、摺接しながら挿入可能な太さの径を持つ棒状部材で構成されている。
支持部２２は、試料取り出し部２１の後端２１ａに接続されており、試料取り出し部２１を支持するとともに手で把持できるように構成されている。
【手続補正２９】
【補正対象書類名】明細書
【補正対象項目名】００７４
【補正方法】変更
【補正の内容】
【００７４】
次に、試料採取キットの実施形態について説明する。
第七実施形態
図９は第七実施形態にかかる試料採取キットの構成を示す説明図で、(a)は試料採取キットを用いて試料を採取し、採取した試料を容器の中に取り出した状態を示す図、(b)は(a)の試料採取キットに備わる摺り切り部を示すＢ−Ｂ断面図である。
第七実施形態の試料採取キットは、図１に示した第一実施形態の試料採取部材１と基本的構成が略同じである試料採取部材１”と、図８に示した第六実施形態の試料取り出し部材２”と基本的構成が略同じである試料取り出し部材２”’を備えて構成されている。
なお、試料採取部収容容器１３”は、円筒状に形成されている。また、それに伴い、蓋１４”は、円柱状に形成されている。
試料採取部収容容器１３”は、容器側壁部部材１３ｅ”と容器底部部材１３ｉ”で構成されている。容器側壁部部材１３ｅ”は、側壁部１３ｅ1”に後述する摺り切り部１３ｆ”を押さえる凸部１３ｅ11”があり、底側には螺子１３ｅ111”がある。この螺子１３ｅ111”に容器底部部材１３ｉ”にある螺子１３ｉ1”を螺合させて容器側壁部部材１３ｅ”の底を塞ぐとともに、容器側壁部部材１３ｅ”に底側から摺り切り部１３ｆ”、試料取り出し部材２”’の順に組み込んだ部材を凸部１３ｅ11”へ押し付けるようにして固定している。摺り切り部１３ｆ”と支持部２２”’の間はガイド部２３”’が支えている。支持部２２”’は容器側壁部部材１３ｅ”の内径全面を覆っているわけではなく、処理溶液１５が底側に抜けられるようになっている。また、容器底部部材１３ｉ”には底部１３ｉ11”に比べて厚みが薄くなっている底部薄厚部１３ｉ111”が底部１３ｉ11”中央付近にあり、試料Ｅを処理溶液１５に拡散してその溶液を取り出すときに、注射針様の部材を刺して吸引することができる。
試料採取部収容容器１３”には、試料Ｅを処理するための処理溶液１５が充填されている。また、試料採取部収容容器１３”における処理溶液１５の液面よりも上部には、摺り切り部１３ｆ”が設けられている。
摺り切り部１３ｆ”は、試料採取部収容容器１３”の内側に組み込まれた栓１３ｆ1”と、栓１３ｆ1”に形成された開口１３ｆ11”で構成されている。開口１３ｆ11”は、試料採取部１１”における試料保持溝１１ａ”の外部に付着した試料Ｅを摺り切ることができるように、試料採取部１１”が摺接しながら通り抜け可能な大きさ及び形状に形成されている。また、開口１３ｆ11”は、試料採取部１１”を通した状態で試料採取部材１”の蓋１４”が試料採取部収容容器１３”と試料採取部１１”との隙間を閉じることができる位置に来るように位置合わせして設けられている。
また、試料取り出し部材２”’のガイド部２３”’及び試料取り出し部２１”’、支持部２２”’は、摺り切り部１３ｆ”と共に試料採取部収容容器１３”内に組み込まれた状態において、開口１３ｆ1”を通過した試料採取部１１”の試料保持溝１１ａ”の中の試料Ｅを取り出すことができる位置に位置合わせして設けられている。
【手続補正３０】
【補正対象書類名】明細書
【補正対象項目名】００７８
【補正方法】変更
【補正の内容】
【００７８】
第八実施形態
図１０は第八実施形態にかかる試料採取キットの構成及び使用態様を示す説明図で、(a)は試料採取キットを構成する試料採取部材、試料取り出し部材、試料採取部収容容器の分解図、(b)は(a)に示した試料採取部収容容器に試料取り出し部材を取り付けた状態と、その開口を塞ぐ蓋とを示す図、(c)は(b)に示した試料採取部収容容器に試料取り出し部材を取り付け、さらに、その中に試料採取部材を入れて蓋で開口を塞いだ状態を示す図である。図１１(a)，(b)は図１０(a)に示した試料採取キットにおける試料取り出し部材に備わる試料採取部収容容器接続部の断面図で、(a)はＡ−Ａ断面図、(b)はＢ−Ｂ断面図である。図１１(c)は試料取り出し部材のガイド部におけるＣ−Ｃ断面図である。また、図１１(d)は図１０(c)に示した採取キットにおける試料採取部収容容器部のＤ−Ｄ断面図である。図１２は図１０に示した試料採取キットにおいて試料を採取した試料採取部を試料採取部収容容器に入れるときの状態を示す説明図で、(a)は入れる前の状態を示す図、(b)は入れた後の状態を示す図である。
【手続補正３１】
【補正対象書類名】明細書
【補正対象項目名】００９０
【補正方法】変更
【補正の内容】
【００９０】
第九実施形態
図１３は第九実施形態にかかる試料採取キットの構成及び使用態様を示す説明図で、(a)は試料採取キットを構成する試料採取部材、試料取り出し部材、試料採取部収容容器の分解図、(b)は(a)に示した試料採取部収容容器に試料取り出し部材を取り付けた状態と、その開口を塞ぐ蓋とを示す図、(c)は(b)に示した試料採取部収容容器に試料取り出し部材を取り付け、さらに、その中に試料採取部材を入れて蓋で開口を塞いだ状態を示す図である。図１４(a)，(b)は図１３(a)に示した試料採取キットにおける試料取り出し部材と試料採取部収容容器接続部の断面図で、(a)はＡ’−Ａ’断面図、(b)はＢ’−Ｂ’断面図である。図１４(c)は試料取り出し部材のガイド部におけるＣ’−Ｃ’断面図である。また、図１４(d)は、図１３(c)に示した採取キットにおける試料採取部収容容器部のＤ’−Ｄ’断面図である。
第九実施形態の試料採取キットは、図１３(a)の試料取り出し部材２””’のガイド部２３””’に、試料採取部材１”’の試料採取部１１”’を、摺り切り部２４ｂ””’の蓋状部材２４ｂ1””’に設けられた筒状の開口２４ｂ11””’（及び図１４(b)のガイド部２４ｂ111””’）を通過させて挿入した際に、試料採取部１１”’における試料保持溝１１ａ”’の開口とは反対側の長手方向近傍を囲むことが可能な長手方向に延びた略Ｕ字型形状のガイド部２３ｃが形成されており（図１４(c)，(d)）、このガイド部２３ｃが形成されている点が、第八実施形態の試料採取キットと異なる。
このガイド部２３ｃは、試料採取部１１”’における試料保持溝１１ａ”’の開口とは反対側の長手方向近傍を囲むことが可能であればよく、試料採取部１１”’の形状に合わせて略Ｕ字型形状以外の例えば略コの字型形状をとることもできる。このガイド部２３ｃは、筒状のガイド部２３””’の該当部分を厚くして形成してもよいし、別部材を筒状のガイド部２３””’内に配置して設けてもよい。
第九実施形態の試料採取キットによれば、ガイド部２３ｃがあることで試料採取部１１”’は試料取り出し部２１””が試料Ｅをより確実に取り出すことができる位置に案内される。
第九実施形態の試料採取キットのその他の構成、作用及び効果は第八実施形態の試料採取キットと略同様である。
【手続補正３２】
【補正対象書類名】明細書
【補正対象項目名】００９２
【補正方法】変更
【補正の内容】
【００９２】
【図１】本発明の第一実施形態にかかる試料採取部材の構成を示す分解斜視図である。
【図２】図１に示す試料採取部材の試料採取部における試料保持溝及び試料保持溝の変形例を示す断面図で(a)は図１に示す試料採取部材の試料採取部における試料保持溝を示す図、(b)〜(i)は試料保持溝の変形例を示す図である。
【図３】図１に示す試料採取部材の試料採取時における使用態様を示す説明図で、(a)は試料の表面部分を採取するときの使用態様を示す図、(b)は試料の横断面部分を採取するときの使用態様を示す図、(c)は試料採取部材の先端部を介して試料を採取するときの使用態様を示す図、(d)は試料採取後の試料採取部材の態様を示す図である。
【図４】本発明の第二実施形態にかかる試料採取部材の構成を示す説明図で、(a)は分解図、(b)は(a)における試料採取部収容容器のＡ−Ａ断面図である。
【図５】本発明の第三実施形態にかかる試料採取部材における試料採取部の構成を示す説明図である。
【図６】本発明の第四実施形態にかかる試料取り出し部材の構成及び試料取り出し部を用いて試料採取部から試料を取り出すときの使用態様を示す説明図で、(a)は試料取り出し部を試料保持溝の側部における最も把持部に近い側から挿し込むときの態様を示す図、(b)は(a)に示すようにして試料保持溝に試料取り出し部を挿し込み、溝の中を先端側に向かって摺動させたときの態様を示す図、(c)は試料取り出し部を試料保持溝の先端部に挿し込むときの態様を示す図、(d)は(c)に示すようにして試料保持溝に試料取り出し部を挿し込み、溝の中を把持部側に向かって摺動させたときの態様を示す図である。
【図７】本発明の第五実施形態にかかる試料取り出し部材の構成及び試料取り出し部を用いて試料採取部から試料を取り出すときの使用態様を示す説明図で、(a)は試料取り出し部を試料保持溝の側部における最も把持部に近い側から挿し込むときの態様を示す図、(b)は(a)に示すようにして試料保持溝に試料取り出し部を挿し込み、溝の中を先端側に向かって摺動させたときの態様を示す図である。
【図８】本発明の第六実施形態にかかる試料取り出し部材の構成及び試料取り出し部を用いて試料採取部から試料を取り出すときの使用態様を示す説明図で、(a)は試料取り出し部の先端に試料保持溝の先端を挿入するときの態様を示す図、(b)は(a)に示すようにして試料保持溝を試料取り出し部に挿入し、支持部側に向かって押し込んだときの態様を示す図、(c)は(b)に示した状態からさらに支持部側に押し込み試料の取り出しを終えたときの態様を示す図である。
【図９】第七実施形態にかかる試料採取キットの構成を示す説明図で、(a)は試料採取キットを用いて試料を採取し、採取した試料を容器の中に取り出した状態を示す図、(b)は(a)の試料採取キットに備わる摺り切り部を示すＢ−Ｂ断面図である。
【図１０】第八実施形態にかかる試料採取キットの構成及び使用態様を示す説明図で、(a)は試料採取キットを構成する試料採取部、試料取り出し部材、試料採取部収容容器の分解図、(b)は(a)に示した試料採取部収容容器に試料取り出し部材を取り付けた状態と、その開口を塞ぐ蓋とを示す図、(c)は(b)に示した試料採取部収容容器に試料取り出し部材を取り付け、さらに、その中に試料採取部材を入れて蓋で開口を塞いだ状態を示す図である。
【図１１】(a),(b)は図１０(a)に示した試料採取キットにおける試料採取部材に備わる試料採取部収容容器接続部の断面図で、(a)はＡ−Ａ断面図、(b)はＢ−Ｂ断面図である。(c)は試料取り出し部材のガイド部におけるＣ−Ｃ断面図である。(d)は図１０(c)に示した採取キットにおける試料採取部収容容器部のＤ−Ｄ断面図である。
【図１２】図１０に示した試料採取キットにおいて試料を採取した試料採取部を試料採取部収容容器に入れるときの状態を示す説明図で、(a)は入れる前の状態を示す図、(b)は入れた後の状態を示す図である。
【図１３】第九実施形態にかかる試料採取キットの構成及び使用態様を示す説明図で、(a)は試料採取キットを構成する試料採取部、試料取り出し部材、試料採取部収容容器の分解図、(b)は(a)に示した試料採取部収容容器に試料取り出し部材を取り付けた状態と、その開口を塞ぐ蓋とを示す図、(c)は(b)に示した試料採取部収容容器に試料取り出し部材を取り付け、さらに、その中に試料採取部材を入れて蓋で開口を塞いだ状態を示す図である。
【図１４】(a),(b)は図１３(a)に示した試料採取キットにおける試料採取部材に備わる試料採取部収容容器接続部の断面図で、(a)はＡ’−Ａ’断面図、(b)はＢ’−Ｂ’断面図である。(c)は試料取り出し部材のガイド部におけるＣ’−Ｃ’断面図である。(d)は図１３(c)に示した採取キットにおける試料採取部収容容器部のＤ’−Ｄ’断面図である。